(57)【要約】【課題】ウィッペンヒールの剛性の影響を受けることなく、優れた応答性と、リバウンドの阻止による連打性能の向上を両立させることができるピアノのアクションを提供する。【解決手段】前後方向に延びかつ中央部を中心として回動自在の鍵２の押鍵に伴って作動し、ハンマー１２を回動させることにより、打弦を行わせるピアノのアクション１であって、鍵２の上方に配置され、後端部を中心として回動自在のウィッペン５と、鍵２の後部とウィッペン５との間に連結された回動継手１７と、を備え、回動継手１７は、鍵２およびウィッペン５にそれぞれ設けられ、左右方向の水平軸線まわりに互いに回動自在に連結された第１部材３および第２部材１８を有する。【選択図】  図２
2004170725.tif 000002
【特許請求の範囲】
【請求項１】
前後方向に延びかつ中央部を中心として回動自在の鍵の押鍵に伴って作動し、ハンマーを回動させることにより、打弦を行わせるピアノのアクションであって、
前記鍵の上方に配置され、後端部を中心として回動自在のウィッペンと、
前記鍵の後部と前記ウィッペンとの間に連結された回動継手と、を備え、
当該回動継手は、前記鍵および前記ウィッペンにそれぞれ設けられ、左右方向の水平軸線まわりに互いに回動自在に連結された第１部材および第２部材を有することを特徴とするピアノのアクション。
【請求項２】
前記第１および第２部材は、任意の方向の軸線まわりに互いに回動自在に連結されていることを特徴とする、請求項１に記載のピアノのアクション。
【請求項３】
前記第１および第２部材の少なくとも一方が、前記鍵または前記ウィッペンに進退自在にねじ込まれていることを特徴とする、請求項１または２に記載のピアノのアクション。
【発明の詳細な説明】
【０００１】
本発明は、鍵の押鍵に伴って作動し、ハンマーを回動させることにより、打弦を行わせるピアノのアクションに関する。
【発明の属する技術分野】
【０００２】
【従来の技術】
従来のグランドピアノのアクションとして、例えば、特許文献１に開示されたものが知られている。図３に示すように、このアクション５１は、鍵２の上面後部に設けられたキャプスタンスクリュー５３と、このキャプスタンスクリュー５３にウィッペンヒール５４を介して載置された回動自在のウィッペン５５と、ウィッペン５５に回動自在に取り付けられたレペティションレバー６およびジャック７と、両者６、７を復帰方向（同図の反時計方向）に付勢するレペティションスプリング８とを備えている。また、レペティションレバー６およびジャック７の移動をそれぞれ規制するレペティションスクリュー９およびレギュレーティングボタン１０などを有している。さらに、レペティションレバー６の前部には、シャンクローラ１１を介してハンマー１２が載置されている。
【０００３】
この離鍵状態から、鍵２が押鍵されると、キャプスタンスクリュー５３が上方へ移動し、ウィッペンヒール５４を介してウィッペン５５が突き上げられることにより回動し、レペティションレバー６およびジャック７がウィッペン５５と一緒に上方に移動する。これらの移動に伴い、レペティションレバー６が、シャンクローラ１１を摺動させながらこれを介してハンマー１２を押し上げ、上方に回動させることによって、ハンマー１２が上方に張られた弦Ｓを打弦する。
【０００４】
また、キャプスタンスクリュー５３のヘッド部５３ａは、角錐台形状に形成されており、それにより、キャプスタンスクリュー５３の高さを調整する際、工具がヘッド部５３ａに容易に嵌合するようになっている。
【０００５】
【特許文献１】
特開平８−１９４４６８号公報（第２−３頁、第１図）
【０００６】
【発明が解決しようとする課題】
しかし、前述した従来のピアノのアクション５１では、ウィッペン５５がウィッペンヒール５４を介して、キャプスタンスクリュー５３に単純に載っているだけなので、ウィッペンヒール５４の剛性がアクション５１の動作に影響を及ぼしてしまう。例えば、ウィッペンヒール５４の剛性が高すぎる場合には、ハンマー１２が弦Ｓを打弦した後、アクション５１が落下する際に、押鍵時に離れたウィッペンヒール５４がキャプスタンスクリュー５３に衝突した反動で、アクション５１がリバウンドを起こすことがあり、その場合には、連打性能が低下してしまう。また、ウィッペンヒール５４の剛性が低くなると、打弦時におけるウィッペンヒール５４の変位量が大きくなるため、押鍵してからハンマー１２が打弦するまでの時間が長くなり、アクション５１の応答性が悪くなる。
【０００７】
本発明は、このような課題を解決するためになされたものであり、ウィッペンヒールの剛性の影響を受けることなく、優れた応答性と、リバウンドの阻止による連打性能の向上を両立させることができるピアノのアクションを提供することを目的としている。
【０００８】
【課題を解決するための手段】
この目的を達成するために、本発明は、前後方向に延びかつ中央部を中心として回動自在の鍵の押鍵に伴って作動し、ハンマーを回動させることにより、打弦を行わせるピアノのアクションであって、鍵の上方に配置され、後端部を中心として回動自在のウィッペンと、鍵の後部とウィッペンとの間に連結された回動継手と、を備え、回動継手は、鍵およびウィッペンにそれぞれ設けられ、左右方向の水平軸線まわりに互いに回動自在に連結された第１部材および第２部材を有することを特徴とする。
【０００９】
この構成によれば、鍵とウィッペンは回動継手を介して連結されており、鍵の押鍵時には、ウィッペンが鍵と一体の状態で上方に回動する。この場合、回動継手の第１および第２部材が左右方向の水平軸線まわりに互いに回動自在に連結されているので、ウィッペンを上方に支障なく回動させることができる。また、鍵とウィッペンが回動継手を介して常に連結されているので、離鍵後にアクションが復帰回動した際に、アクションがリバウンドを起こすのを阻止することができる。また、押鍵時にウィッペンが鍵と一体に上方に移動するので、鍵を押鍵してからハンマーが打弦するまでの時間が短くなる。したがって、ウィッペンヒールの剛性の影響を受けることなく、優れた応答性が得られるとともに、打弦後のリバウンドの阻止によって連打性能を向上させることができる。
【００１０】
この場合、第１および第２部材は、任意の方向の軸線まわりに互いに回動自在に連結されていることが好ましい。
【００１１】
この構成によれば、第１および第２部材が、任意の方向の軸線まわりに互いに回動自在に連結されているので、鍵を強く押鍵した場合などに、鍵とウィッペンとの間の相対的な角度がずれたとしても、ウィッペンを上方に円滑に回動させることができる。
【００１２】
さらに、この場合、第１および第２部材の少なくとも一方が、鍵またはウィッペンに進退自在にねじ込まれていることが好ましい。
【００１３】
この構成によれば、第１または第２部材を鍵またはウィッペンに対して回し、ねじ込み量を調整することにより、アクションの高さを容易に調整することができる。
【００１４】
【発明の実施の形態】
以下、本発明の好ましい実施形態を、図面を参照しながら説明する。図１は、本発明の実施形態によるグランドピアノのアクション１を示している。なお、以下の説明では、アクション１の構成要素のうち、図３に示した従来のアクション５１と同じ構成のものについては、同じ参照番号を用いるものとする。
【００１５】
同図に示すように、このグランドピアノのアクション１は、前後方向に延びかつ中央部を中心として回動自在の鍵２の上方に配置され、後端部を中心として回動自在のウィッペン５と、ウィッペン５に回動自在に取り付けられたレペティションレバー６およびジャック７と、両者６、７を復帰方向（同図の反時計方向）に付勢するレペティションスプリング８とを備えている。また、レペティションレバー６およびジャック７の移動をそれぞれ規制するレペティションスクリュー９およびレギュレーティングボタン１０などを有している。レペティションレバー６の前部には、上下方向に貫通するジャック案内孔６ａが形成されており、このジャック案内孔６ａの付近に、シャンクローラ１１を介してハンマー１２が載置されている。
【００１６】
このアクション１は、鍵２を載置する筬（図示せず）の左右端部にそれぞれ設けられたブラケット１３（図１に一方のみ図示）に取り付けられている。左右のブラケット１３、１３間には、ウィッペンレール１４およびハンマーシャンクレール１５が渡されており、このウィッペンレール１４にねじ止めした各ウィッペンフレンジ１６に、ウィッペン５の後端部が回動自在に取り付けられている。
【００１７】
ウィッペン５は、木材または合成樹脂で構成され、従来のものとは異なり、ウィッペンヒール５４が省略されている。図１に示すように、ウィッペン５は、前後方向に延び、回動継手１７を介して鍵２の後部と連結されている。また、回動継手１７は、キャプスタンスクリュー３（第１部材）と回動アセンブリ１８（第２部材）により構成されている。
【００１８】
キャプスタンスクリュー３は、金属やポリアセタールなどの耐摩耗性に優れた合成樹脂などで構成されている。図２に示すように、キャプスタンスクリュー３は、ヘッド部３ａとねじ部３ｂで構成され、ねじ部３ｂを介して鍵２の上面に進退自在にねじ込まれている。ヘッド部３ａは、首つき球体状に形成されており、ねじ部３ｂの上側の首部３ｃと、首部３ｃの上側の球体受部３ｄで構成されている。球体受部３ｄは中空状のものであり、上部に開口３ｅが形成されている。また、首部３ｃの側面には、工具を挿入し、キャプスタンスクリュー３を回すための孔３ｆが形成されている。
【００１９】
回動アセンブリ１８は、ねじ１９と回動体２０で構成されており、これらは、キャプスタンスクリュー３と同様に、金属や合成樹脂などで構成されている。図２に示すように、ねじ１９は、頭部１９ａとねじ部１９ｂで構成され、ねじ部１９ｂがウィッペン５の下面にねじ込まれている。頭部１９ａの内側には、雌ねじ部（図示せず）が形成されている。回動体２０は、球体部２０ａと、上方に突出するねじ部２０ｂで構成されており、このねじ部２０ｂがねじ１９の雌ねじ部にねじ込まれることによって、ねじ１９に連結されている。回動体２０の球体部２０ａは、その下側約２／３の部分がキャプスタンスクリュー３の球体受部３ｄに嵌合するとともに、上側約１／３の部分が球体受部３ｄの開口３ｅから上方に突出している。この構成により、回動体２０は、キャプスタンスクリュー３に対して、任意の方向の軸線まわりに回動自在であるとともに、キャプスタンスクリュー３から抜け出ないようになっている。
【００２０】
次に、上記構成のアクション１の動作を、図１を参照しながら説明する。図１に示す離鍵状態から鍵２が押鍵されると、それと一緒にキャプスタンスクリュー３が上方へ移動する。この移動に伴い、キャプスタンスクリュー３に回動継手１７を介して連結されたウィッペン５が鍵２と一体の状態で上方に移動し、ウィッペンフレンジ１６を中心として上方に回動し、レペティションレバー６およびジャック７がウィッペン５と一緒に上方に移動する。これらの移動に伴い、まず、レペティションレバー６が、シャンクローラ１１を摺動させながらこれを介してハンマー１２を押し上げ、上方に回動させる。次いで、レペティションレバー６がレペティションスクリュー９に係合することにより、ジャック７がシャンクローラ１１を介してハンマー１２を突き上げる。その後、ハンマー１２が上方に張られた弦Ｓを打弦する直前まで回動した時点で、ジャック７が、レギュレーティングボタン１０に係合することによって回動し、シャンクローラ１１から抜ける。これにより、ハンマー１２は、アクション１および鍵２との連結を解かれ、自由回動状態で弦Ｓを打弦する。
【００２１】
その後、鍵２が離鍵され、ある程度まで戻されたタイミングで、レペティションレバー６が作動し始め、レペティションスプリング８のばね力で反時計方向に復帰回動することによって、シャンクローラ１１を摺動させながら押し上げる。これにより、ジャック７が、レペティションスプリング８のばね力で反時計方向に復帰回動し、もとの位置に戻ることによって、鍵２が完全に戻らなくても、次の打弦を行うことが可能になり、同じ弦Ｓをハンマー１２に連打させることができるので、トリルを行う場合のような同じ鍵２を連続して速く叩く連打を行うことができる。
【００２２】
以上のように、本実施形態によれば、ウィッペン５が回動継手１７を介して鍵２に連結されているので、鍵２を押鍵した際に、ウィッペン５が鍵２と一体の状態で上方に移動する。これにより、鍵２を押鍵してからハンマー１２が打弦するまでの時間が短くなり、それにより、アクション１の優れた応答性が得られる。また、鍵２とウィッペン５が常に連結されているので、アクション１が離鍵後に復帰方向へ回動した際に、アクション１がリバウンドを起こすのを防ぐことができ、それにより、連打性能を向上させることができる。
【００２３】
また、回動継手１７が任意の方向の軸線まわりに回動自在に構成されているので、鍵２を強く押鍵した場合などに、鍵２とウィッペン５との間の相対的な角度がずれたとしても、ウィッペン５を上方に支障なく円滑に回動させることができる。
【００２４】
さらに、キャプスタンスクリュー３の孔３ｆに工具を挿入し、キャプスタンスクリュー３を回すことにより、鍵２とウィッペン５の間の距離を調整でき、したがって、アクション１の高さを容易に調整することができる。
【００２５】
なお、本発明は、説明した実施形態に限定されることなく、種々の態様で実施することができる。例えば、説明した実施形態では、回動継手１７が任意の方向の軸線まわりに回動自在に構成されているが、これに代えて、ローラなどを用いることにより、鍵２とウィッペン５を左右方向の水平軸線まわりに互いに回動自在に連結してもよい。さらに、実施形態は、鍵２側に球体受部３ｄを設け、ウィッペン５側に球体部２０ａを設けた例であるが、これらを鍵２側とウィッペン５側とで逆に配置してもよい。
【００２６】
さらに、本実施形態は、本発明をグランドピアノのアクションに適用した例であるが、これに代えてアップライトピアノに適用してもよいことは、もちろんである。その他、本発明の趣旨の範囲内で、細部を適宜、変更することが可能である。
【００２７】
【発明の効果】
以上詳述したように、本発明のピアノのアクションは、ウィッペンヒールの剛性の影響を受けることなく、優れた応答性と、リバウンドの阻止による連打性能の向上を両立させることができるなどの効果を有している。
【図面の簡単な説明】
【図１】本発明を適用したグランドピアノのアクションを含む鍵装置の側面図である。
【図２】図１の回動継手を鍵およびウィッペンとともに示す斜視図である。
【図３】従来のグランドピアノのアクションを含む鍵装置の側面図である。
【符号の説明】
１  アクション
２  鍵
３  キャプスタンスクリュー（第１部材）
３ｂ  ねじ部
５  ウィッペン
１２  ハンマー
１７  回動継手
１８  回動アセンブリ（第２部材）
１９  ねじ
２０  回動体
【図１】
2004170725.tif 000003
【図２】
2004170725.tif 000004
【図３】
2004170725.tif 000005